(57)【特許請求の範囲】
【請求項１】
ベース板（１）と、
前記ベース板（１）上に保持される半導体素子（４）と、
前記ベース板（１）上に配置され、前記半導体素子（４）を内包する枠形状を有するハウジング（９）と、
前記ハウジング（９）の外面（９ｃ）に設けられ、外部装置に接続可能な端子部（７）と、
一端（５ａ）が前記ハウジング（９）に設けられる前記端子部（７）に接続可能に配置され、他端（５ｂ）が接合材（３ｂ）を介して前記半導体素子（４）上に接続される長尺状のリードフレーム（５）と、
前記ハウジング（９）内に配置され、前記ハウジング（９）内の前記リードフレーム（５）と前記半導体素子（４）とを封止する封止材（８）と、
前記リードフレーム（５）の一部（５ｃ）を前記ハウジング（９）内において固定する固定部（６）と、を備え、
前記固定部（６）は、前記ハウジング（９）よりも内側の前記ベース板（１）上に配置される半導体装置。
【請求項２】
前記固定部（６）は、前記ベース板（１）の表面（１ａ）から突出する突起部（１０）に設けられるネジ穴（６ｂ）とネジ（６ａ）とを含み、
前記リードフレーム（５）の前記一部（５ｃ）は、前記ネジ穴（６ｂ）と締結する前記ネジ（６ａ）によって前記突起部（１０）に固定される請求項１に記載の半導体装置。
【請求項３】
前記固定部（６）は、ワッシャをさらに含む請求項２に記載の半導体装置。
【請求項４】
前記固定部（６）は、前記ベース板（１）の表面（１ａ）から突出する突起部（１０）に設けられる嵌合部（６ｉ）を含み、
前記リードフレーム（５）の前記一部（５ｃ）は、前記嵌合部（６ｉ）に嵌合して前記突起部（１０）に固定される請求項１に記載の半導体装置。
【請求項５】
ベース板（１）と、
前記ベース板（１）上に保持される半導体素子（４）と、
前記ベース板（１）上に配置され、前記半導体素子（４）を内包する枠形状を有するハウジング（９）と、
前記ハウジング（９）の外面（９ｃ）に設けられ、外部装置に接続可能な端子部（７）と、
一端（５ａ）が前記ハウジング（９）に設けられる前記端子部（７）に接続可能に配置され、他端（５ｂ）が接合材（３ｂ）を介して前記半導体素子（４）上に接続される長尺状のリードフレーム（５）と、
前記ハウジング（９）内に配置され、前記ハウジング（９）内の前記リードフレーム（５）と前記半導体素子（４）とを封止する封止材（８）と、
前記リードフレーム（５）の一部（５ｃ）を前記ハウジング（９）内において固定する固定部（６）と、を備え、
前記固定部（６）と前記他端（５ｂ）との間の前記リードフレーム（５）は平坦である、半導体装置。
【請求項６】
前記ハウジング（９）は、前記枠形状を有するハウジング本体（９ｆ）と、前記ハウジング本体（９ｆ）の内側に配置され、前記ハウジング本体（９ｆ）よりも高さが低い段差部（９ｅ）とを含み、
前記固定部（６）は、前記段差部（９ｅ）に配置される請求項５に記載の半導体装置。
【請求項７】
前記固定部（６）は、前記段差部（９ｅ）に設けられるネジ穴（６ｂ）とネジ（６ａ）とを含み、
前記リードフレーム（５）の前記一部（５ｃ）は、前記ネジ穴（６ｂ）と締結する前記ネジ（６ａ）によって前記段差部（９ｅ）に固定される請求項６に記載の半導体装置。
【請求項８】
ベース板（１）と、
前記ベース板（１）上に保持される半導体素子（４）と、
前記ベース板（１）上に配置され、前記半導体素子（４）を内包する枠形状を有するハウジング（９）と、
前記ハウジング（９）の外面（９ｃ）に設けられ、外部装置に接続可能な端子部（７）と、
一端（５ａ）が前記ハウジング（９）に設けられる前記端子部（７）に接続可能に配置され、他端（５ｂ）が接合材（３ｂ）を介して前記半導体素子（４）上に接続される長尺状のリードフレーム（５）と、
前記ハウジング（９）内に配置され、前記ハウジング（９）内の前記リードフレーム（５）と前記半導体素子（４）とを封止する封止材（８）と、
前記リードフレーム（５）の一部（５ｃ）を前記ハウジング（９）内において固定する固定部（６）と、を備え、
前記ハウジング（９）は、前記枠形状を有するハウジング本体（９ｆ）と、前記ハウジング本体（９ｆ）の内側に配置され、前記ハウジング本体（９ｆ）よりも高さが低い段差部（９ｅ）とを含み、
前記固定部（６）は、前記段差部（９ｅ）に配置され、
前記固定部（６）は、ネジ（６ａ）と、ネジ穴（６ｂ）と貫通穴（６ｆ）とを含み、
前記貫通穴（６ｆ）は、前記段差部（９ｅ）の表面（９ａ）と裏面（９ｂ）との間を貫通し、
前記ネジ穴（６ｂ）は、前記段差部（９ｅ）の前記裏面（９ｂ）に開口する前記貫通穴（６ｆ）の位置に対応して前記ベース板（１）の表面（１ａ）に設けられ、
前記リードフレーム（５）の前記一部（５ｃ）は、前記貫通穴（６ｆ）を介して前記ネジ穴（６ｂ）と締結する前記ネジ（６ａ）によって固定される、半導体装置。
【請求項９】
前記固定部（６）は、ワッシャをさらに含む請求項７または請求項８に記載の半導体装置。
【請求項１０】
ベース板（１）と、
前記ベース板（１）上に保持される半導体素子（４）と、
前記ベース板（１）上に配置され、前記半導体素子（４）を内包する枠形状を有するハウジング（９）と、
前記ハウジング（９）の外面（９ｃ）に設けられ、外部装置に接続可能な端子部（７）と、
一端（５ａ）が前記ハウジング（９）に設けられる前記端子部（７）に接続可能に配置され、他端（５ｂ）が接合材（３ｂ）を介して前記半導体素子（４）上に接続される長尺状のリードフレーム（５）と、
前記ハウジング（９）内に配置され、前記ハウジング（９）内の前記リードフレーム（５）と前記半導体素子（４）とを封止する封止材（８）と、
前記リードフレーム（５）の一部（５ｃ）を前記ハウジング（９）内において固定する固定部（６）と、を備え、
前記ハウジング（９）は、前記枠形状を有するハウジング本体（９ｆ）と、前記ハウジング本体（９ｆ）の内側に配置され、前記ハウジング本体（９ｆ）よりも高さが低い段差部（９ｅ）とを含み、
前記固定部（６）は、前記段差部（９ｅ）に配置され、
前記固定部（６）は、ネジ（６ａ）とネジ穴（６ｂ）と第１貫通穴（６ｇ）と第２貫通穴（６ｈ）とを含み、
前記第１貫通穴（６ｇ）は、前記段差部（９ｅ）の表面（９ａ）と裏面（９ｂ）との間を貫通し、
前記第２貫通穴（６ｈ）は、前記段差部（９ｅ）の前記裏面（９ｂ）に開口する前記第１貫通穴（６ｇ）の位置に対応して前記ベース板（１）の表面（１ａ）と裏面（１ｂ）との間を貫通し、
前記ネジ穴（６ｂ）は、前記第１貫通穴（６ｇ）と前記第２貫通穴（６ｈ）との位置に対応して前記リードフレーム（５）の前記一部（５ｃ）に設けられ、
前記リードフレーム（５）の前記一部（５ｃ）は、前記ベース板（１）の裏面（１ｂ）側に頭部が配置され前記第１貫通穴（６ｇ）と前記第２貫通穴（６ｈ）とを介して前記ネジ穴（６ｂ）に締結する前記ネジ（６ａ）によって固定される、半導体装置。
【請求項１１】
前記固定部（６）は、前記段差部（９ｅ）に設けられる嵌合部（６ｉ）を含み、
前記リードフレーム（５）の前記一部（５ｃ）は、前記嵌合部（６ｉ）に嵌合して前記段差部（９ｅ）に固定される請求項６に記載の半導体装置。
【請求項１２】
前記リードフレーム（５）と前記ハウジング（９）とは一体物ではない請求項１から請求項１１のいずれか一項に記載の半導体装置。
【請求項１３】
請求項１から請求項１２のいずれか一項に記載の半導体装置と、
前記半導体装置の前記端子部（７）に接続し、前記半導体装置と前記外部装置との接続を中継可能な端子台（１４）とを備え、
前記半導体装置の前記リードフレーム（５）の前記一端（５ａ）は、前記端子部（７）を介して前記端子台（１４）に接続される制御装置。
【請求項１４】
請求項１から請求項１２のいずれか一項に記載の半導体装置と、
前記外部装置とを備え、
前記半導体装置の前記リードフレーム（５）の前記一端（５ａ）と前記外部装置とは、前記端子部（７）にて接続され、
前記外部装置がコンデンサ（１５ａ）またはモーター（１５ｂ）である制御装置。
【請求項１５】
請求項１から請求項１２のいずれか一項に記載の半導体装置の製造方法であって、
前記枠形状を有する前記ハウジング（９）を準備する工程と、
前記ハウジング（９）とは別に、前記リードフレーム（５）を準備する工程と、
前記ベース板（１）と、前記ベース板（１）上に保持された前記半導体素子（４）とを準備する工程と、
前記枠形状が前記半導体素子（４）を内包するよう前記ハウジング（９）を前記ベース板（１）上に配置する工程と、
前記リードフレーム（５）の前記一端（５ａ）を前記ハウジング（９）の前記外面（９ｃ）に設けられた前記端子部（７）に接続可能に配置し、かつ、前記リードフレーム（５）の前記他端（５ｂ）を前記半導体素子（４）上に接合する工程と、
前記リードフレーム（５）の前記一部（５ｃ）を前記ハウジング（９）内において前記固定部（６）に固定する工程と、
前記ハウジング（９）内に、前記リードフレーム（５）と前記半導体素子（４）とを封止する前記封止材（８）を注入する工程とを備える半導体装置の製造方法。
【請求項１６】
ベース板（１）と、
前記ベース板（１）上に保持される半導体素子（４）と、
前記ベース板（１）上に配置され、前記半導体素子（４）を内包する枠形状を有するハウジング（９）と、
前記ハウジング（９）の外面（９ｃ）に設けられ、外部装置に接続可能な端子部（７）と、
一端（５ａ）が前記ハウジング（９）に設けられる前記端子部（７）に接続可能に配置され、他端（５ｂ）が接合材（３ｂ）を介して前記半導体素子（４）上に接続される長尺状のリードフレーム（５）と、
前記ハウジング（９）内に配置され、前記ハウジング（９）内の前記リードフレーム（５）と前記半導体素子（４）とを封止する封止材（８）とを備え、
前記リードフレーム（５）は、前記ハウジング（９）内において、一部が凸状または凹状に屈曲する屈曲部（１１）または一部が凸状または凹状に湾曲する湾曲部を含み、
前記ハウジング（９）は、前記枠形状を有するハウジング本体（９ｆ）と、前記ハウジング本体（９ｆ）の内側に配置され、前記ハウジング本体（９ｆ）よりも高さが低い段差部（９ｅ）とを含み、
前記段差部（９ｅ）は、前記屈曲部（１１）または前記湾曲部を収容する窪みを含み、
前記リードフレーム（５）の前記屈曲部（１１）または前記湾曲部の少なくとも一部は、前記窪みに固定される、半導体装置。
【請求項１７】
前記リードフレーム（５）の前記屈曲部（１１）または前記湾曲部の前記少なくとも一部は、前記窪みとして前記段差部（９ｅ）に設けられた溝部（１２ａ）の内壁に接して固定される請求項１６に記載の半導体装置。
【請求項１８】
前記段差部（９ｅ）は、前記窪みとして前記段差部（９ｅ）に設けられた凹部（１２ｂ）内に配置され、前記屈曲部（１１）または前記湾曲部の前記少なくとも一部を封止して固定する固定材（１３）をさらに含む請求項１６に記載の半導体装置。
【請求項１９】
前記リードフレーム（５）と前記ハウジング（９）とは一体物ではない請求項１６から請求項１８のいずれか一項に記載の半導体装置。
【請求項２０】
請求項１６から請求項１９のいずれか一項に記載の半導体装置と、
前記半導体装置の前記端子部（７）に接続し、前記半導体装置と前記外部装置との接続を中継可能な端子台（１４）とを備え、
前記半導体装置の前記リードフレーム（５）の前記一端（５ａ）は、前記端子部（７）を介して前記端子台（１４）に接続される制御装置。
【請求項２１】
請求項１６から請求項１９のいずれか一項に記載の半導体装置と、
前記外部装置とを備え、
前記半導体装置の前記リードフレーム（５）の前記一端（５ａ）と前記外部装置とは、前記端子部（７）にて接続され、
前記外部装置がコンデンサ（１５ａ）またはモーター（１５ｂ）である制御装置。
【請求項２２】
請求項１６から請求項１９のいずれか一項に記載の半導体装置の製造方法であって、
前記枠形状を有する前記ハウジング（９）を準備する工程と、
前記ハウジング（９）とは別に、前記リードフレーム（５）を準備する工程と、
前記ベース板（１）と、前記ベース板（１）上に保持された前記半導体素子（４）とを準備する工程と、
前記枠形状が前記半導体素子（４）を内包するよう前記ハウジング（９）を前記ベース板（１）上に配置する工程と、
前記リードフレーム（５）の前記一端（５ａ）を前記ハウジング（９）の前記外面（９ｃ）に設けられた前記端子部（７）に接続可能に配置し、かつ、前記リードフレーム（５）の前記他端（５ｂ）を前記半導体素子（４）上に接合する工程と、
前記ハウジング（９）内に、前記リードフレーム（５）と前記半導体素子（４）とを封止する前記封止材（８）を注入する工程とを備え、
前記リードフレーム（５）を準備する工程は、前記ハウジング（９）内において、一部が凸状または凹状に屈曲する屈曲部（１１）または一部が凸状または凹状に湾曲する湾曲部を含む前記リードフレーム（５）を準備することを含む半導体装置の製造方法。
【発明の詳細な説明】
【技術分野】
【０００１】
本発明は、半導体装置、制御装置および半導体装置の製造方法に関し、特にパッケージング技術にする。
【背景技術】
【０００２】
半導体素子のパッケージング技術には、半導体チップと板状のリードフレームとを直接接合するダイレクトリードボンディングがある（例えば特許文献１）。ダイレクトリードボンディングによってモジュール化された半導体装置は、従来よりも電力損失が小さい。【０００３】
特許文献２には、ハウジング内に配置した半導体チップに、ボンディングワイヤを接続した後、そのハウジング内を樹脂で封止してモジュール化される半導体装置が開示されている。そのような半導体装置が備えるリードフレームは、樹脂製のハウジングと一体に成形された部品ではない。
【先行技術文献】
【特許文献】
【０００４】
【特許文献１】特開２００７−１４２１３８号公報
【特許文献２】特許第４９８５１１６号公報
【発明の概要】
【発明が解決しようとする課題】
【０００５】
リードフレームがハウジングと一体成形されていない半導体装置において、そのリードフレームがダイレクトリードボンディングによって半導体チップに接合された場合、リードフレームは半導体チップとの接合部でしか保持されない。このような半導体装置に外部から応力が加わると、その応力はリードフレームを介して半導体チップに伝わる。外部応力は、半導体チップや接合層にクラック等を生じさせ、その結果、半導体装置の信頼性が低下する。【０００６】
本発明は、以上のような課題を解決するためになされたものであり、リードフレームを介して半導体素子に伝達される外部応力を低減し、信頼性が向上する半導体装置の提供を目的とする。
【課題を解決するための手段】
【０００７】
本発明に係る半導体装置は、ベース板と、ベース板上に保持される半導体素子と、ベース板上に配置され、半導体素子を内包する枠形状を有するハウジングと、ハウジングの外面に設けられ、外部装置に接続可能な端子部と、一端がハウジングに設けられる端子部に接続可能に配置され、他端が接合材を介して半導体素子上に接続される長尺状のリードフレームと、ハウジング内に配置され、ハウジング内のリードフレームと半導体素子とを封止する封止材と、リードフレームの一部を、ハウジング内において、ベース板またはハウジングに固定する固定部とを備える。固定部は、ハウジングよりも内側のベース板上に配置される。
【発明の効果】
【０００８】
本発明によれば、リードフレームを介して半導体素子に伝達される外部応力を低減し、信頼性が向上する半導体装置の提供が可能となる。【０００９】
本発明の目的、特徴、局面、および利点は、以下の詳細な説明と添付図面とによって、より明白になる。
【図面の簡単な説明】
【００１０】
【図１】実施の形態１における半導体装置の断面図である。
【図２】実施の形態２における半導体装置の断面図である。
【図３】実施の形態３における半導体装置の断面図である。
【図４】実施の形態４における半導体装置の断面図である。
【図５】実施の形態５における半導体装置の断面図である。
【図６】実施の形態６における半導体装置の断面図である。
【図７】実施の形態７における半導体装置の断面図である。
【図８】実施の形態８における半導体装置の断面図である。
【図９】実施の形態９における半導体装置の断面図である。
【図１０】実施の形態１０における制御装置を示す図である。
【図１１】実施の形態１１における制御装置を示す図である。
【発明を実施するための形態】
【００１１】
本発明に係る半導体装置の実施の形態を説明する。
【００１２】
＜実施の形態１＞
図１は、本実施の形態１における半導体装置１０１の断面図である。半導体装置１０１は、ベース板１と、そのベース板１の表面１ａに絶縁層２と接合材３ａとを介して保持される半導体素子４とを備える。ベース板１は、本実施の形態１においては、金属板であり、例えば、Ｃｕ、ＡｌまたはＣｕを主成分とする合金などを含む。ベース板１は、例えば、ヒートシンクである。絶縁層２は、例えば表面に回路パターンが配置された絶縁性の基板であり、例えば実装基板である。接合材３ａは、絶縁層２と半導体素子４とを接合する。接合材３ａは、例えばはんだである。半導体素子４は、例えばＳｉＣまたはＧａＮを主成分に有するパワー半導体チップである。なお、図１示す半導体装置１０１は、ベース板１の面内に２つの絶縁層２を含み、各々の絶縁層２上に、２個ずつの半導体素子４が配置される。図１に示すその半導体装置１０１は一例であり、絶縁層２および半導体素子４の配置個数および配置は、これらに限定されない。
【００１３】
半導体装置１０１は、平面視において枠形状を有し、半導体素子４を内包してベース板１上に配置されるハウジング９をさらに備える。ハウジング９の上面９ｄは半導体素子４の表面よりも高い位置にある。ハウジング９は絶縁体であり、例えば、樹脂からなる。ハウジング９の外面９ｃには外部装置に接続可能な端子部７が配置される。本実施の形態１においては、端子部７はハウジング９の上面９ｄに配置される。端子部７は、本実施の形態１においてはナットであり、例えばボルト等によって外部装置に接続する配線を締結可能である。
【００１４】
半導体装置１０１は、長尺状のつまり板状のリードフレーム５をさらに備える。リードフレーム５の一端５ａは、ハウジング９の端子部７に接続可能に配置される。そのリードフレーム５の一端５ａは、端子部７に必ずしも固定されていなくても良い。例えば、端子部７がナットである場合、リードフレームの一端５ａは、外部装置に接続する配線とともにボルトによって端子部７のナットに締結可能なように配置される。または例えば、リードフレームの一端５ａは、予め端子部７に接触して配置されても良い。リードフレーム５の他端５ｂは、接合材３ｂを介して半導体素子４の表面に接続される。本実施の形態１においては、半導体装置１０１は２つのリードフレーム５を備え、各々のリードフレーム５は、２個の半導体素子４に接続される。上述したように図１に示す半導体装置１０１は一例であり、リードフレーム５の設置個数および１個のリードフレーム５に接続される半導体素子４の個数は、これらに限定されない。すなわち、リードフレーム５の他端５ｂは、少なくとも１つの半導体素子４の表面に接続する。
【００１５】
また、半導体装置１０１は、リードフレーム５の一部５ｃをハウジング９内に、つまりハウジング９の枠形状に囲まれた空間内に固定する。リードフレーム５の一部５ｃは、リードフレームの一端５ａとリードフレームの他端５ｂとの間に位置する。そのリードフレーム５の一部５ｃは、半導体装置１０１が備える固定部６によって固定される。本実施の形態１において、その固定部６は、ハウジング９よりも内側のベース板１上に配置される。また、固定部６は、ベース板１の表面１ａから突出する突起部１０つまりボスと、その突起部１０に設けられるネジ穴６ｂと、そのネジ穴６ｂに締結するネジ６ａとを含む。突起部１０は、例えばベース板１と同じ金属からなる。リードフレーム５の一部５ｃは、ネジ穴６ｂと締結するネジ６ａによって突起部１０に固定される。なお、半導体装置１０１は、１個のリードフレーム５に対し、少なくとも１個の固定部６を備える。つまり、半導体装置１０１は、１個のリードフレーム５を固定する２個以上の固定部６を備えてもよい。
【００１６】
リードフレーム５は、突起部１０またはベース板１と電気的に絶縁される。半導体装置１０１は、固定部６とリードフレーム５の一部５ｃとの間または突起部１０とリードフレーム５の一部５ｃとの間に絶縁部材（図示せず）を含む。その絶縁部材とは、樹脂製のワッシャや絶縁性を有するフィルム等である。なお、絶縁性のフィルムは、例えばリードフレーム５の一部５ｃにコーティングにより形成される。また、例えば、リードフレーム５の一部５ｃに設けられたネジ６ａを通すための穴の直径は、ネジ６ａの直径よりも大きく、リードフレーム５の一部５ｃはネジ６ａに接触しない。または、例えば、ネジ６ａは樹脂等の絶縁体からなり、リードフレーム５の一部５ｃとネジ６ａが接触したとしても電気的に絶縁される。
【００１７】
本実施の形態１においては、突起部１０に固定されるリードフレーム５の一部５ｃと、半導体素子４に接続するリードフレーム５の他端５ｂとは、ベース板１の表面１ａからの高さが同じであり、それらは平面で接続される。
【００１８】
ハウジング９に内包されるリードフレーム５と半導体素子４とは、封止材８によって封止される。封止材８は、ベース板１が底部をなしかつハウジング９が側壁をなす容器形状内に配置される。
【００１９】
また、半導体装置１０１が備えるリードフレーム５とハウジング９とは、一体物ではなく、別個の部材である。リードフレーム５とハウジング９とは、インサート成形によって作製された一体成形品ではない。つまり、リードフレーム５とハウジング９とは、例えば、ハウジング９を構成する樹脂によってリードフレーム５がハウジング９に固定された一体成形品ではない。その半導体装置１０１の製造方法は、枠形状を有するハウジング９を準備する工程と、ハウジング９とは別にリードフレーム５を準備する工程とを含む。また、本実施の形態１において、半導体装置１０１の製造方法は、固定部６がハウジング９よりも内側に配置されたベース板１を準備する工程を含む。半導体装置１０１の製造方法は、ベース板１上に保持された半導体素子４を準備する工程と、枠形状が半導体素子４を内包するようハウジング９をベース板１上に配置する工程と、リードフレーム５の一端５ａをハウジング９の外面９ｃに設けられた端子部７に接続可能に配置し、かつ、リードフレーム５の他端５ｂを半導体素子４上に接合する工程と、リードフレーム５の一部５ｃを固定部６に固定する工程と、ハウジング９内のリードフレーム５と半導体素子４とを封止する封止材８を注入する工程とを含む。
【００２０】
（効果）
半導体装置１０１の端子部７に外部装置（図示せず）、例えば端子台、コンデンサ、モーターなどを接続した場合、それら外部装置の振動や熱変形によって生じる外部応力が、リードフレーム５に加わる。本実施の形態１の半導体装置１０１は、リードフレーム５を伝って入力される外部応力を固定部６にて遮断する。つまり、半導体装置１０１は、固定部６よりもリードフレーム５の先端方向に位置する半導体素子４に入力される外部応力を緩和する。半導体装置１０１は、想定外の外部応力がリードフレーム５に入力されたとしても、その応力によって半導体素子４または接合材３ｂにクラック等の欠陥が生じることを防ぐ。そして、半導体装置１０１は、半導体素子４の致命的な故障を回避する。
【００２１】
以上をまとめると、本実施の形態１における半導体装置１０１は、ベース板１と、ベース板１上に保持される半導体素子４と、ベース板１上に配置され、半導体素子４を内包する枠形状を有するハウジング９と、ハウジング９の外面９ｃに設けられ、外部装置に接続可能な端子部７と、一端５ａがハウジング９に設けられる端子部７に接続可能に配置され、他端５ｂが接合材３ｂを介して半導体素子４上に接続される長尺状のリードフレーム５と、ハウジング９内に配置され、ハウジング９内のリードフレーム５と半導体素子４とを封止する封止材８と、リードフレーム５の一部５ｃをハウジング９内において固定する固定部６とを備える。
【００２２】
以上のような構成を備える半導体装置１０１は、端子部７またはリードフレーム５の一端５ａからリードフレーム５に入力される外部応力を固定部６にて遮断する。従来の半導体装置は、リードフレームが半導体素子との接合部でしか固定されていなかったため、外部応力が、直接、その半導体素子に入力されていた。本実施の形態１に示す半導体装置１０１は、外部応力を固定部６にて減衰させる。その結果、半導体素子４に伝わる外部応力は低減される。半導体装置１０１は、外部応力によって半導体素子４または接合材３ｂにクラック等の欠陥が生じることを防ぐ。そして、半導体装置１０１は、半導体素子４の致命的な故障を回避する。
【００２３】
また、半導体装置１０１が備える固定部６は、ハウジング９よりも内側のベース板１上に配置される。固定部６は、ベース板１の表面１ａから突出する突起部１０に設けられるネジ穴６ｂと、ネジ６ａとを含む。リードフレーム５の一部５ｃは、ネジ穴６ｂと締結するネジ６ａによって突起部１０に固定される。
【００２４】
本実施の形態１において、ベース板１および突起部１０は、金属である。半導体装置１０１は、強度のある突起部１０およびベース板１にてリードフレーム５を保持する。半導体装置１０１は、想定外の外部応力がリードフレーム５に入力されたとしても、固定部６にてその応力を減衰または遮断する。そして、固定部６は、半導体素子４にその外部応力が伝わることを防ぐ。半導体装置１０１は、半導体素子４の致命的な故障を回避する。なお、半導体装置１０１が、１個のリードフレーム５に対し、２個以上の固定部６を備える場合、より強力に外部応力を減衰または遮断する。
【００２５】
また、半導体装置１０１が備えるリードフレーム５とハウジング９とは一体物ではない。従来、リードフレームとハウジングが一体物でない半導体装置において、リードフレームは、その他端が半導体素子に接合する部分でしか固定されなかった。本実施の形態１の半導体装置１０１は、ハウジング９と一体でないリードフレーム５を、半導体素子４との接合部だけでなく、突起部１０に設けた固定部６においても固定する。そして、半導体装置１０１は、端子部７またはリードフレーム５の一端５ａからリードフレーム５に入力される外部応力を固定部６にて遮断する。半導体装置１０１は、半導体素子４の致命的な故障を回避する。
【００２６】
また、半導体装置１０１が備える固定部６に固定されるリードフレーム５の一部５ｃと、半導体素子４に接続するリードフレーム５の他端５ｂとは、ベース板１の表面１ａからの高さが同じであり、それらは平面で接続される。このような構成を備える半導体装置１０１は、リードフレーム５と半導体素子４とを確実な接触状態を保って固定し、かつ、外部から入力される応力を遮断する。
【００２７】
本実施の形態１における半導体装置１０１の製造方法は、枠形状を有するハウジング９を準備する工程と、ハウジング９とは別にリードフレーム５を準備する工程とを含む。また、半導体装置１０１の製造方法は、ベース板１と、ベース板１上に保持された半導体素子４を準備する工程と、枠形状が半導体素子４を内包するようハウジング９をベース板１上に配置する工程と、リードフレーム５の一端５ａをハウジング９の外面９ｃに設けられた端子部７に接続可能に配置し、かつ、リードフレーム５の他端５ｂを半導体素子４上に接合する工程と、リードフレーム５の一部５ｃを固定部６に固定する工程と、ハウジング９内のリードフレーム５と半導体素子４とを封止する封止材８を注入する工程とを含む。
【００２８】
従来、リードフレームとハウジングが一体物でない半導体装置において、リードフレームは、その他端が半導体素子に接合する部分でしか固定されなかった。本実施の形態１の半導体装置１０１の製造方法によれば、半導体装置１０１は、ハウジング９と一体でないリードフレーム５を、半導体素子４との接合部だけでなく、突起部１０に設けた固定部６においても固定する。そして、半導体装置１０１は、端子部７またはリードフレーム５の一端５ａからリードフレーム５に入力される外部応力を固定部６にて遮断する。半導体装置１０１は、半導体素子４の致命的な故障を回避する。
【００２９】
＜実施の形態２＞
実施の形態２における半導体装置について説明する。なお、実施の形態１と同様の構成および動作、効果については説明を省略する。
【００３０】
図２は、本実施の形態２における半導体装置１０２の断面図である。半導体装置１０２は、実施の形態１に記載した半導体装置１０１と固定部６が異なる。ハウジング９は、枠形状を有するハウジング本体９ｆと、ハウジング本体９ｆの内側に配置されハウジング本体９ｆよりも高さが低い段差部９ｅとを含む。固定部６は、段差部９ｅに設けられるネジ穴６ｂおよびネジ６ａである。
【００３１】
ネジ穴６ｂは、樹脂製の段差部９ｅに設けられるザグリ穴６ｄの内部に配置された金属製のナットからなる。ナットは、例えばインサートナット６ｅ（ダッチビット、または、Ｔｈｒｅａｄｅｄ  ｉｎｓｅｒｔともいう）である。リードフレーム５の一部５ｃは、ネジ穴６ｂと締結するネジ６ａによってハウジング９の段差部９ｅに固定される。
【００３２】
また、半導体装置１０２が備えるリードフレーム５とハウジング９とは、一体物ではなく、別個の部材である。つまり、半導体装置１０２の製造方法は、半導体素子４を内包する枠形状を有するハウジング９を準備する工程と、ハウジング９とは別にリードフレーム５を準備する工程とを含む。また、本実施の形態２において、半導体装置１０２の製造方法は、固定部６がハウジング本体９ｆの内側の段差部９ｅに配置されたハウジング９を準備する工程を含む。また、その製造方法において、インサートナット６ｅをザグリ穴６ｄに圧入する工程を含む。
【００３３】
（効果）
以上をまとめると、本実施の形態２における半導体装置１０２が備えるハウジング９は、枠形状を有するハウジング本体９ｆと、ハウジング本体９ｆの内側に配置され、ハウジング本体９ｆよりも高さが低い段差部９ｅとを含む。固定部６は、段差部９ｅに配置される。半導体装置１０２は、リードフレーム５の一部５ｃをハウジング９の段差部９ｅに固定する。このような構成を備える半導体装置１０２は、半導体素子４が保持されるベース板１とは別の部材であるハウジング９にて、端子部７またはリードフレーム５の一端５ａからリードフレーム５に入力される外部応力を受け遮断する。よって、半導体素子４に加わる応力はさらに低減される。半導体装置１０２は、外部応力によって半導体素子４または接合材３ｂにクラック等の欠陥が生じることを防ぐ。そして、半導体装置１０２は、半導体素子４の致命的な故障を回避する。
【００３４】
また、半導体装置１０２が備える固定部６は、段差部９ｅに設けられるネジ穴６ｂとネジ６ａとを含み、リードフレーム５の一部５ｃは、ネジ穴６ｂと締結するネジ６ａによって段差部９ｅに固定される。このような構成を備える半導体装置１０２は、半導体素子４が保持されるベース板１とは別の部材であるハウジング９にて、端子部７またはリードフレーム５の一端５ａからリードフレーム５に入力される外部応力を受け遮断する。よって、半導体装置１０２は、外部応力による半導体素子４の致命的な故障を回避する。
【００３５】
また、半導体装置１０２の固定部６は、図示は省略するが、リードフレーム５の一部５ｃとネジ６ａの頭部との間にワッシャをさらに含んでもよい。このような構成を備える半導体装置１０２は、ネジ締付時のリードフレーム５に対するモーメントを軽減する。また、半導体装置１０２は、ネジ締付時の摩擦力を低減する。
【００３６】
また、半導体装置１０２が備えるリードフレーム５とハウジング９とは一体物ではない。リードフレーム５とハウジング９とが一体物でなく、かつ、リードフレームの一端５ａが端子部７に固定されずに配置される半導体装置においては、リードフレーム５は、その他端５ｂが半導体素子４に接合する部分でしか固定されない。一方で、本実施の形態２における半導体装置１０２は、リードフレーム５を段差部９ｅに設けた固定部６においても固定する。半導体装置１０２は、端子部７またはリードフレーム５の一端５ａからリードフレーム５に入力される外部応力を固定部６にて遮断する。半導体装置１０２は、半導体素子４の致命的な故障を回避する。
【００３７】
＜実施の形態３＞
本実施の形態３における半導体装置について説明する。なお、実施の形態１または実施の形態２と同様の構成および動作、効果については説明を省略する。
【００３８】
図３は、本実施の形態３における半導体装置１０３の断面図である。半導体装置１０３は、実施の形態２に記載した半導体装置１０２と固定部６が異なる。半導体装置１０３が備えるハウジング９は、実施の形態２と同様に、ハウジング本体９ｆと段差部９ｅとを含む。段差部９ｅには、その表面９ａと裏面９ｂとの間を貫通する貫通穴６ｆが設けられる。ベース板１の表面１ａには、段差部９ｅの裏面９ｂに開口する貫通穴６ｆの位置に対応してネジ穴６ｂが設けられる。半導体装置１０３が備える固定部６は、その段差部９ｅに設けられる貫通穴６ｆとネジ６ａとネジ穴６ｂとを含む。リードフレーム５の一部５ｃは、貫通穴６ｆを介してネジ穴６ｂと締結するネジ６ａによって固定される。つまり、半導体装置１０３は、固定部６によって、リードフレーム５、ハウジング９およびベース板１を共に固定する。このような構成を備える半導体装置１０３は、実施の形態１または実施の形態２に記載した効果に加えて、組み立てが容易であるという効果を奏する。
【００３９】
また、半導体装置１０３の固定部６は、図示は省略するが、リードフレーム５の一部５ｃとネジ６ａの頭部との間にワッシャをさらに含んでもよい。このような構成により、半導体装置１０３は、ネジ締付時のリードフレーム５に対するモーメントを軽減する。また、半導体装置１０３は、ネジ締付時の摩擦力を低減する。
【００４０】
＜実施の形態４＞
本実施の形態４における半導体装置について説明する。なお、実施の形態１から実施の形態３のいずれかと同様の構成および動作、効果については説明を省略する。
【００４１】
図４は、本実施の形態４における半導体装置１０４の断面図である。半導体装置１０４は、実施の形態３に記載した半導体装置１０３と固定部６が異なる。半導体装置１０４が備えるハウジング９は、実施の形態３と同様に、ハウジング本体９ｆと段差部９ｅとを含む。半導体装置１０４が備える固定部６は、ネジ６ａとネジ穴６ｂと第１貫通穴６ｇと第２貫通穴６ｈとを含む。第１貫通穴６ｇは段差部９ｅに設けられ、段差部９ｅの表面９ａと裏面９ｂとの間を貫通する。また、第２貫通穴６ｈはベース板１に設けられ、段差部９ｅの裏面９ｂに開口する第１貫通穴６ｇの位置に対応してベース板１の表面１ａと裏面１ｂとの間を貫通する。ネジ穴６ｂは、第１貫通穴６ｇと第２貫通穴６ｈとの位置に対応してリードフレーム５の一部５ｃに設けられる。ネジ６ａは、ベース板１の裏面１ｂ側にその頭部が配置され、第１貫通穴６ｇと第２貫通穴６ｈとを介して、リードフレーム５のネジ穴６ｂに締結する。これにより、リードフレーム５の一部５ｃは固定される。このような構成を備える半導体装置１０４は、ねじ締め付け時の回転方向の応力が半導体素子４に入力されない、または、入力されにくい。つまり、半導体装置１０４は、実施の形態３に記載した効果に加えて、半導体素子４に加わる応力をさらに低減する。
【００４２】
＜実施の形態５＞
本実施の形態５における半導体装置について説明する。なお、実施の形態１と同様の構成および動作、効果については説明を省略する。
【００４３】
図５は、本実施の形態５における半導体装置１０５の断面図である。半導体装置１０５が備える固定部６は、実施の形態１に記載した半導体装置１０１と同様に、ハウジング９よりも内側のベース板１上に配置される。ベース板１には、その表面１ａから突出する突起部１０つまりボスが配置される。固定部６は、その突起部１０に設けられる嵌合部６ｉを含む。リードフレーム５の一部５ｃは、嵌合部６ｉに嵌合して突起部１０に固定される。なお、半導体装置１０５の製造方法において、リードフレーム５の一部５ｃは、突起部１０が含む嵌合部６ｉに圧入されて固定される。また、リードフレーム５は、突起部１０またはベース板１と電気的に絶縁される。半導体装置１０５は、固定部６とリードフレーム５の一部５ｃとの間または突起部１０とリードフレーム５の一部５ｃとの間に絶縁部材（図示せず）を含む。
【００４４】
このような構成を備える半導体装置１０５は、端子部７またはリードフレーム５の一端５ａからリードフレーム５に入力される外部応力を固定部６にて遮断する。外部応力は固定部６にて減衰し、半導体素子４に伝わる外部応力は低減される。半導体装置１０５は、外部応力によって半導体素子４または接合材３ｂにクラック等の欠陥が生じることを防ぐ。そして、半導体装置１０５は、半導体素子４の致命的な故障を回避する。さらに、半導体装置１０５は、固定部６を設けるための新規部材を追加する必要がなく、コスト低減が可能である。
【００４５】
＜実施の形態６＞
本実施の形態６における半導体装置について説明する。なお、実施の形態２または実施の形態５のいずれかと同様の構成および動作、効果については説明を省略する。
【００４６】
図６は、本実施の形態６における半導体装置１０６の断面図である。半導体装置１０６は、実施の形態５に記載した半導体装置１０５と固定部６が異なる。半導体装置１０６が備えるハウジング９は、枠形状を有するハウジング本体９ｆと、ハウジング本体９ｆの内側に配置されハウジング本体９ｆよりも高さが低い段差部９ｅとを含む。固定部６は段差部９ｅに設けられる嵌合部６ｉを含む。リードフレーム５の一部５ｃは、嵌合部６ｉに嵌合して段差部９ｅに固定される。なお、半導体装置１０６の製造方法において、リードフレーム５の一部５ｃは、突起部１０が含む嵌合部６ｉに圧入されて固定される。
【００４７】
このような構成を備える半導体装置１０６は、半導体素子４が保持されるベース板１とは別の部材であるハウジング９で、端子部７またはリードフレーム５の一端５ａからリードフレーム５に入力される外部応力を受け遮断する。半導体装置１０６は、外部応力によって半導体素子４または接合材３ｂにクラック等の欠陥が生じることを防ぐ。そして、半導体装置１０６は、半導体素子４の致命的な故障を回避する。また、半導体装置１０６は、固定部６を設けるための新規部材を追加する必要がなく、その製造コストを低減する。
【００４８】
＜実施の形態７＞
本実施の形態７における半導体装置について説明する。図７は、本実施の形態７における半導体装置１０７の断面図である。
【００４９】
半導体装置１０７は、実施の形態１に記載された半導体装置１０１が備える固定部６以外の構成は、その半導体装置１０１と同様である。すなわち、半導体装置１０７は、ベース板１と、そのベース板１の表面１ａに、絶縁層２と接合材３ａとを介して保持される半導体素子４とを備える。ベース板１は、本実施の形態７においては、金属板である。半導体装置１０７は、枠形状を有し、半導体素子４を内包してベース板１上に配置されるハウジング９をさらに備える。ハウジング９は、例えば、樹脂からなる。ハウジング９の外面９ｃには外部装置に接続可能な端子部７が配置される。本実施の形態７においては、端子部７はハウジング９の上面９ｄに配置される。端子部７は、本実施の形態７においてはナットであり、例えばボルト等によって外部装置に接続する配線を締結可能である。
【００５０】
半導体装置１０７は、長尺状つまり板状のリードフレーム５をさらに備える。リードフレームの一端５ａは、ハウジング９の端子部７に接続可能に配置される。リードフレーム５の一端５ａは、端子部７に必ずしも固定されていなくて良い。例えば、端子部７がナットである場合、リードフレームの一端５ａは、外部装置に接続する配線とともにボルトによって端子部７のナットに締結可能なように配置される。リードフレーム５の他端５ｂは、接合材３ｂを介して半導体素子４の表面に設けられる表面電極に接続される。
【００５１】
半導体装置１０７は、実施の形態１に記載された半導体装置１０１が備える固定部６に代えて、リードフレーム５の一部がハウジング９内において凹状に屈曲する屈曲部１１を含む。図７に示すように、リードフレーム５は、ハウジング９から半導体素子４に至る途中に屈曲部１１を含む。すなわち、屈曲部１１はリードフレームの一端５ａとその他端５ｂとの間に位置する。屈曲部１１は、ベース板１の方向つまり下方向に、コの字型つまりＵ字型を有する。なお、図７に示す屈曲部１１の形状は一例でありそれに限定されない。以下、図示は省略するが、例えば、屈曲部１１は、ベース板１の方向に頂点を有する逆三角形を有していても良い。または例えば、屈曲部１１は、凸状につまり上方向に屈曲する形状を有していてもよい。または例えば、半導体装置１０７は、屈曲部１１に代えて、リードフレーム５の一部が凸状または凹状に湾曲する湾曲部を備えてもよい。つまり、湾曲部は、凸状または凹状の円弧形状からなる。
【００５２】
また、ハウジング９に内包されるリードフレーム５と半導体素子４とは、封止材８によって封止される。封止材８は、ベース板１が底部をなしかつハウジング９が側壁をなす凹型の容器形状内に配置される。
【００５３】
また、半導体装置１０７が備えるリードフレーム５とハウジング９とは、一体物ではなく、別個の部材である。リードフレーム５とハウジング９とは、インサート成形によって作製された一体成形品ではない。つまり、リードフレーム５とハウジング９とは、例えば、ハウジング９を構成する樹脂によってリードフレーム５がハウジング９に固定された一体成形品ではない。半導体装置１０７の製造方法は、枠形状を有するハウジング９を準備する工程と、ハウジング９とは別に、一部が凹状に屈曲する屈曲部１１を含むリードフレーム５を準備する工程とを含む。そして、半導体装置１０７の製造方法は、ベース板１上に保持された半導体素子４を準備する工程と、枠形状が半導体素子４を内包するようハウジング９をベース板１上に配置する工程と、リードフレーム５の一端５ａをハウジング９の外面９ｃに設けられた端子部７に接続可能に配置し、かつ、リードフレーム５の他端５ｂを半導体素子４上に接合する工程と、ハウジング９内のリードフレーム５と半導体素子４とを封止する封止材８を注入する工程とを含む。
【００５４】
（効果）
以上をまとめると、本実施の形態７における半導体装置１０７は、ベース板１と、ベース板１上に保持される半導体素子４と、ベース板１上に配置され、半導体素子４を内包する枠形状を有するハウジング９と、ハウジング９の外面９ｃに設けられ、外部装置に接続可能な端子部７と、一端５ａがハウジング９に設けられる端子部７に接続可能に配置され、他端５ｂが接合材３ｂを介して半導体素子４上に接続される長尺状のリードフレーム５と、ハウジング９内に配置され、ハウジング９内のリードフレーム５と半導体素子４とを封止する封止材８とを備える。リードフレーム５は、ハウジング９内において、一部が凹状に屈曲する屈曲部１１を含む。
【００５５】
このような構成を備える半導体装置１０７は、剛性が周囲に比べて弱い屈曲部１１で、端子部７またはリードフレーム５の一端５ａから入力される外部応力を吸収する。その結果、半導体素子４にリードフレーム５を介して加わる応力が低減される。半導体装置１０７は、半導体素子４の致命的な故障を回避する。
【００５６】
また、半導体装置１０７が備えるリードフレーム５とハウジング９とは一体物ではない。従来、リードフレームとハウジングが一体物でない半導体装置において、リードフレームは、その他端が半導体素子に接合する部分でしか固定されなかった。本実施の形態７の半導体装置１０７は、剛性が周囲に比べて弱い屈曲部１１で、端子部７またはリードフレーム５の一端５ａから入力される外部応力を吸収する。その結果、半導体素子４にリードフレーム５を介して加わる応力が低減される。半導体装置１０７は、半導体素子４の致命的な故障を回避する。
【００５７】
また、本実施の形態７における半導体装置１０７の製造方法は、枠形状を有するハウジング９を準備する工程と、ハウジング９とは別に、一部が凹状に屈曲する屈曲部１１を含むリードフレーム５を準備する工程とを含む。そして、半導体装置１０７の製造方法は、ベース板１上に保持された半導体素子４を準備する工程と、枠形状が半導体素子４を内包するようハウジング９をベース板１上に配置する工程と、リードフレーム５の一端５ａをハウジング９の外面９ｃに設けられた端子部７に接続可能に配置し、かつ、リードフレーム５の他端５ｂを半導体素子４上に接合する工程と、ハウジング９内のリードフレーム５と半導体素子４とを封止する封止材８を注入する工程とを含む。
【００５８】
従来、リードフレームとハウジングが一体物でない半導体装置において、リードフレームは、その他端が半導体素子に接合する部分でしか固定されなかった。本実施の形態７における半導体装置１０７の製造方法によれば、半導体装置１０７は、剛性が周囲に比べて弱い屈曲部１１で、端子部７またはリードフレーム５の一端５ａから入力される外部応力を吸収する。その結果、半導体素子４にリードフレーム５を介して加わる応力が低減される。半導体装置１０７は、半導体素子４の致命的な故障を回避する。
【００５９】
＜実施の形態８＞
本実施の形態８における半導体装置について説明する。なお、実施の形態７と同様の構成および動作、効果については説明を省略する。
【００６０】
図８は、本実施の形態８における半導体装置１０８の断面図である。半導体装置１０８が備えるハウジング９は、枠形状を有するハウジング本体９ｆと、ハウジング本体９ｆの内側に配置されハウジング本体９ｆよりも高さが低い段差部９ｅとを含む。その段差部９ｅには、溝部１２ａが設けられる。リードフレーム５の屈曲部１１の少なくとも一部は、ハウジング９の溝部１２ａの内壁に接して固定される。半導体装置１０８の製造方法は、屈曲部１１を溝部１２ａに差し込む工程を含む。
【００６１】
このような構成を備える半導体装置１０８は、端子部７またはリードフレーム５の一端５ａから入力される外部応力を、リードフレーム５の屈曲部１１と、ハウジング９とで分担して負担する。実施の形態７に記載した効果に加えて、半導体装置１０８は、半導体素子４に加わる外部応力をさらに低減する。
【００６２】
＜実施の形態９＞
本実施の形態９における半導体装置について説明する。なお、実施の形態７または実施の形態８と同様の構成および動作、効果については説明を省略する。
【００６３】
図９は、本実施の形態９における半導体装置１０９の断面図である。半導体装置１０９が備えるハウジング９は、実施の形態８と同様に、ハウジング本体９ｆと段差部９ｅとを含む。その段差部９ｅには、凹部１２ｂが設けられる。その凹部１２ｂの内側には、リードフレーム５の屈曲部１１の少なくとも一部が配置される。さらに、その凹部１２ｂの内部には、屈曲部１１を固定する固定材１３が配置される。なお、凹部１２ｂは、実施の形態８に記載した半導体装置１０８が含む溝部１２ａであっても良い。固定材１３は、例えば樹脂である。また、半導体装置１０９の製造方法は、リードフレーム５を半導体素子４に接合した後、凹部１２ｂ内のリードフレーム５を固定材１３によって封止する工程を含む。固定材１３が樹脂である場合、樹脂によって凹部１２ｂは封止される。
【００６４】
このような構成を備える半導体装置１０９は、端子部７またはリードフレーム５の一端５ａからリードフレーム５に入力される外部応力を、凹部１２ｂの固定材１３で受ける。半導体装置１０９は、半導体素子４に加わる外部応力をさらに低減する。
【００６５】
＜実施の形態１０＞
本実施の形態１０における制御装置について説明する。図１０は、本実施の形態１０における制御装置２０１を示す図である。
【００６６】
制御装置２０１は、実施の形態１に示した半導体装置１０１と、その半導体装置１０１と外部装置との接続を中継可能な端子台１４とを備える。制御装置２０１は、例えば、列車の車両に備えられてもよい。半導体装置１０１のリードフレーム５の一端５ａと、端子台１４とは、端子部７に接続される。つまり、リードフレーム５の一端５ａは、端子部７を介して端子台１４に接続する。より具体的には、リードフレームの一端５ａは、端子台１４と半導体装置１０１とを接続する配線１８とともに、ボルト１７によって、端子部７のナットに締結される。
【００６７】
このような構成を備える制御装置２０１は、端子台１４の振動や熱変形によって生じる外部応力が、端子部７およびリードフレーム５を介して半導体素子４に伝わることを固定部６によって防ぐ。制御装置２０１は、その外部応力によって半導体装置１０１の半導体素子４または接合材３ｂにクラック等の欠陥が生じることを防ぐ。そして、制御装置２０１は、半導体装置１０１が備える半導体素子４の致命的な故障を回避する。なお、制御装置２０１は、半導体装置１０１が実施の形態２から実施の形態６のいずれかに示した半導体装置である場合も、同様の効果を奏する。
【００６８】
また、制御装置２０１が、半導体装置１０１に代えて、実施の形態７から実施の形態９のいずれかに記載した半導体装置を備える場合、制御装置２０１は、端子台１４の振動や熱変形によって生じる外部応力をリードフレーム５の屈曲部１１または湾曲部によって低減または遮断する。そして、制御装置２０１は、半導体素子４の致命的な故障を回避する。
【００６９】
＜実施の形態１１＞
本実施の形態１１における制御装置について説明する。図１１は、本実施の形態１１における制御装置２０２を示す図である。
【００７０】
制御装置２０２は、実施の形態１に示した半導体装置１０１と、外部装置とを備える。その外部装置は、コンデンサ１５ａまたはモーター１５ｂである。制御装置２０２は、例えば、電気を動力源とする自動車に備えられてもよい。リードフレームの一端５ａは、コンデンサ１５ａと半導体装置１０１とを接続する配線１８とともに、ボルト１７によって、端子部７のナットに締結される。同様に、リードフレーム５の一端５ａは、モーター１５ｂと半導体装置１０１とを接続する配線とともに、ボルトによって、端子部７のナットに締結される。また、コンデンサ１５ａはバッテリー１６に接続される。
【００７１】
このような構成を備える制御装置２０２は、外部装置の振動や熱変形によって生じる外部応力が、端子部７およびリードフレーム５を介して半導体素子４に伝わることを固定部６によって防ぐ。そして、制御装置２０２は、半導体装置１０１が備える半導体素子４の致命的な故障を回避する。なお、制御装置２０２は、半導体装置１０１が実施の形態２から実施の形態６のいずれかに示した半導体装置である場合も、同様の効果を奏する。
【００７２】
また、制御装置２０２が、半導体装置１０１に代えて、実施の形態７から実施の形態９のいずれかに記載した半導体装置を備える場合、制御装置２０２は、外部装置の振動や熱変形によって生じる外部応力をリードフレーム５の屈曲部１１または湾曲部によって低減または遮断する。そして、制御装置２０２は、半導体素子４の致命的な故障を回避する。
【００７３】
なお、本発明は、その発明の範囲内において、各実施の形態を自由に組み合わせたり、各実施の形態を適宜、変形、省略したりすることが可能である。本発明は詳細に説明されたが、上記した説明は、全ての局面において、例示であって、本発明がそれに限定されるものではない。例示されていない無数の変形例が、この発明の範囲から外れることなく想定され得るものと解される。
【符号の説明】
【００７４】
１  ベース板、１ａ  ベース板の表面、１ｂ  ベース板の裏面、２  絶縁層、３ａ  接合材、３ｂ  接合材、４  半導体素子、５  リードフレーム、５ａ  リードフレームの一端、５ｂ  リードフレームの他端、５ｃ  リードフレームの一部、６  固定部、６ａ  ねじ、６ｂ  ねじ穴、６ｄ  ザグリ穴、６ｅ  インサートナット、６ｆ  貫通穴、６ｇ  第１貫通穴、６ｈ  第２貫通穴、６ｉ  嵌合部、７  端子部、８  封止材、９  ハウジング、９ａ  段差部の表面、９ｂ  段差部の裏面、９ｃ  外面、９ｄ  上面、９ｅ  段差部、９ｆ  ハウジング本体、１０  突起部、１１  屈曲部、１２ａ  溝部、１２ｂ  凹部、１３  固定材、１４  端子台、１５ａ  コンデンサ、１５ｂ＿モーター、１０１  半導体装置、１０７  半導体装置、２０１  制御装置、２０２  制御装置。
【図１】
0006719585.tif 000002
【図２】
0006719585.tif 000003
【図３】
0006719585.tif 000004
【図４】
0006719585.tif 000005
【図５】
0006719585.tif 000006
【図６】
0006719585.tif 000007
【図７】
0006719585.tif 000008
【図８】
0006719585.tif 000009
【図９】
0006719585.tif 000010
【図１０】
0006719585.tif 000011
【図１１】
0006719585.tif 000012